(57)【要約】【課題】データリーダ／ライタのアンテナを上カバーの内面に取り付けた場合にも、光ディスク及びチャッキングコアがアンテナに接触しないようにする。【解決手段】データリーダ／ライタは、通信アンテナ３１、通信制御回路を備える。上カバー９の下面のＩＣアンテナ２６に対向する位置に、収容凹部９ａを形成する。収容凹部９ａに、通信アンテナ３１及び磁性体シート３３を収容する。防護シート３４を、通信アンテナ３１を覆うように、上カバー９の内面に貼り付ける。ディスクトレイ１４に、面振れや反りが大きい光ディスク４を載置した場合には、ディスクトレイ１４が露出位置から格納位置に向けてＡ方向に移動するときに、光ディスク４の側面が防護シート３４の第２エリア３４ｅに接触するが、光ディスク４及びチャッキングコア１８が通信アンテナ３１に接触することがない。【選択図】図１０
2008269715.tif 000002
【特許請求の範囲】
【請求項１】
光ディスクの着脱時にケース外部に露出される露出位置と前記ケース内部に格納される格納位置との間で移動自在なディスクトレイと、
前記光ディスクの上面に設けられたＩＣタグのＩＣアンテナと通信する通信アンテナ及び前記通信アンテナによる通信を制御する制御回路を有し、前記ＩＣタグのＩＣメモリにデータの読み取り及び／または書き込みを行うデータ通信ユニットとを備えた光ディスク装置において、
前記ケースに設けられ、前記格納位置に位置する前記ディスクトレイの上面を覆う上カバーと、
前記上カバーの内面の前記ＩＣアンテナに対向する位置に設けられ、前記通信アンテナを収容する収容凹部と、
前記通信アンテナの下方に設けられ、前記ディスクトレイが移動するときに前記光ディスクが前記通信アンテナに接触しないように当該通信アンテナを防護する防護シートと、を備えたことを特徴とする光ディスク装置。
【請求項２】
前記ディスクトレイに設けられ、前記光ディスクを回転させるスピンドルモータと、
前記スピンドルモータに設けられ、前記光ディスクを保持するチャッキングコアと、を備え、
前記防護シートは、前記ディスクトレイが移動するときに前記チャッキングコアが前記通信アンテナに接触しないように当該通信アンテナを防護することを特徴とする請求項１記載の光ディスク装置。
【請求項３】
前記通信アンテナの前記チャッキングコアに対向する位置に形成され、前記チャッキングコアよりも大径のコア逃げ孔と、
前記防護シートに設けられ、前記ディスクトレイが前記格納位置から露出位置に向けて移動したときに、前記チャッキングコアが前記コア逃げ孔の壁面に接触しないように、前記コア逃げ孔の壁面を防護する壁面防護部と、を備えたことを特徴とする請求項２記載の光ディスク装置。
【請求項４】
前記上カバーを金属から構成し、
前記上カバーと前記通信アンテナとの間に配され、前記通信アンテナの上面を覆うとともに、前記収容凹部に収容される磁性体シートを備えたことを特徴とする請求項１ないし３いずれか１つ記載の光ディスク装置。
【請求項５】
前記上カバーの上面に、前記収容凹部の形状に沿って凸部を形成したことを特徴とする請求項１ないし４いずれか１つ記載の光ディスク装置。
【発明の詳細な説明】
【技術分野】
【０００１】
本発明は、光ピックアップにより光ディスクに記録された情報の再生や記録を行う光ディスク装置に関するものである。
【背景技術】
【０００２】
ＣＤ−Ｒ、ＤＶＤなどの光ディスクを記憶媒体として用いる光ディスク装置は、デスクトップ型のパソコン（パーソナル  コンピュータ）や、ノートパソコンと称される携帯型のパソコンに内蔵されている。光ディスク装置は、ディスクトレイ上に装填された光ディスクを高速で回転させるスピンドルモータと、スピンドルモータに設けられ、光ディスクを保持するチャッキングコアと、光ディスクの半径方向に移動しながら光ディスクにレーザ光を照射して情報を記録し、あるいは光ディスクから反射されたレーザ光を受光して情報の読み出しを行う光ピックアップとを備えており、一般的にスリムドライブと称される光ディスク装置では、スピンドルモータ及び光ピックアップは、ディスクトレイに組み込まれている。
【０００３】
ディスクトレイは、ケース内部に格納される格納位置と光ディスクの着脱時にケース外部に露出される露出位置との間でスライド自在に設けられている。ケースは、格納位置に位置するディスクトレイの上面を覆う上カバーと、格納位置に位置するディスクトレイの下面及び側面を覆う下カバーとを備える。
【０００４】
近年では、光ディスクの上面に、アンテナ及びメモリを有するＩＣタグを取り付け、ケース内部に、ＩＣタグとデータ通信を行い、ＩＣタグのメモリにデータの読み取り及び書き込みを行うデータリーダ／ライタを設けた光ディスク装置が提案されている。データリーダ／ライタは、制御回路及びアンテナを有し、データリーダ／ライタのアンテナは、ＩＣタグのアンテナとデータ通信を行うものであり、上ケースの内面であって、ＩＣタグのアンテナに対向する位置に取り付けられている。
【０００５】
特許文献１には、光ディスク上に、メモリ、情報を送受信する送受信部、メモリに電源を供給する受信部を搭載し、送受信部と情報を送受信する装置側送受信部を設け、装置側送受信部を、メモリ、送受信部及び受信部に対向する位置に配したディスク及びこれを用いた記録再生装置が提案されている。
【０００６】
特許文献２には、ＩＣチップを搭載したループ状アンテナコイルが配設された光ディスクの記録再生を行う光ディスク記録再生装置であって、光ディスクの回転軸に対して光ピックアップモジュールの対向側に、電磁波によりＩＣチップと通信するリーダ／ライタ装置のアンテナコイルを配置した光ディスク記録再生装置が提案されている。
【特許文献１】特開２０００−１３２８７１号公報
【特許文献２】特開２００６−３４４３２９号公報
【発明の開示】
【発明が解決しようとする課題】
【０００７】
しかしながら、特許文献１及び特許文献２では、装置側送受信部、リーダ／ライタ装置のアンテナコイルを、再生装置におけるどの部材に取り付けるかの具体的な記載がない。再生装置は、上カバーによりディスクトレイ及びディスクの上面が覆われており、特許文献１及び特許文献２では、装置側送受信部、リーダ／ライタ装置のアンテナコイルを、上カバーの内面に取り付けることが考えられるが、この場合には、光ディスク及びチャッキングコアと、装置側送受信部またはリーダ／ライタ装置のアンテナコイルとの隙間が小さくなり、ディスクトレイを露出位置から格納位置に移動させるときに、光ディスク及びチャッキングコアが、装置側送受信部またはリーダ／ライタ装置のアンテナコイルに引っ掛かってしまうという問題や、光ディスク回転時に、光ディスク及びチャッキングコアが、装置側送受信部またはリーダ／ライタ装置のアンテナコイルに接触してしまうという問題があった。この接触が発生した場合には、光ピックアップによるディスクへのデータの読み取り及び書き込みを行うことができなくなるだけでなく、アンテナコイルが断線する恐れがあるため、問題となっていた。
【０００８】
本発明は、上記課題を解決するためになされたものであり、データリーダ／ライタのアンテナを上カバーの内面に取り付けた場合にも、光ディスク及びチャッキングコアがデータリーダ／ライタのアンテナに接触しないようにすることができる光ディスク装置を提供することを目的とする。
【課題を解決するための手段】
【０００９】
上記目的を達成するために、本発明の光ディスク装置は、光ディスクの着脱時にケース外部に露出される露出位置と前記ケース内部に格納される格納位置との間で移動自在なディスクトレイと；前記光ディスクの上面に設けられたＩＣタグのＩＣアンテナと通信する通信アンテナ及び前記通信アンテナによる通信を制御する制御回路を有し、前記ＩＣタグのＩＣメモリにデータの読み取り及び／または書き込みを行うデータ通信ユニットとを備えた光ディスク装置において、前記ケースに設けられ、前記格納位置に位置する前記ディスクトレイの上面を覆う上カバーと；前記上カバーの内面の前記ＩＣアンテナに対向する位置に設けられ、前記通信アンテナを収容する収容凹部と；前記通信アンテナの下方に設けられ、前記ディスクトレイが移動するときに前記光ディスクが前記通信アンテナに接触しないように当該通信アンテナを防護する防護シートと；を備えたことを特徴とする。なお、前記防護シートは、前記通信アンテナよりも薄いことが好ましい。また、前記防護シートを、前記上カバーの内面に貼り付けることが好ましい。
【００１０】
また、前記ディスクトレイに設けられ、前記光ディスクを回転させるスピンドルモータと；前記スピンドルモータに設けられ、前記光ディスクを保持するチャッキングコアと；を備え、前記防護シートは、前記ディスクトレイが移動するときに前記チャッキングコアが前記通信アンテナに接触しないように当該通信アンテナを防護することが好ましい。
【００１１】
さらに、前記通信アンテナの前記チャッキングコアに対向する位置に形成され、前記チャッキングコアよりも大径のコア逃げ孔と；前記防護シートに設けられ、前記ディスクトレイが前記格納位置から露出位置に向けて移動したときに、前記チャッキングコアが前記コア逃げ孔の壁面に接触しないように、前記コア逃げ孔の壁面を防護する壁面防護部と；を備えることが好ましい。
【００１２】
また、前記上カバーを金属から構成し、前記上カバーと前記通信アンテナとの間に配され、前記通信アンテナの上面を覆うとともに、前記収容凹部に収容される磁性体シートを備えることが好ましい。
【００１３】
また、前記上カバーの上面に、前記収容凹部の形状に沿って凸部を形成することが好ましい。
【発明の効果】
【００１４】
本発明の光ディスク装置によれば、防護シートにより通信アンテナを防護するから、光ディスクが通信アンテナに接触することがない。これにより、通信アンテナと光ディスクとの接触に起因するデータの読み取り不良及び書き込み不良を防ぐことができる。
【００１５】
また、防護シートにより通信アンテナを防護するから、チャッキングコアが通信アンテナに接触することがない。これにより、通信アンテナとチャッキングコアとの接触に起因するデータの読み取り不良及び書き込み不良を防ぐことができる。
【発明を実施するための最良の形態】
【００１６】
図１に示すように、本発明を実施した光ディスク装置２を内蔵したノート型パソコンにおいて、光ディスク装置２はパソコン本体３の一方の側面に組み込まれる。光ディスク４を装填するとき及び取り出すときには、トレイユニット５をいっぱいに引き出して行う。光ディスク４の装填後、フロントカバー６を押圧するとトレイユニット５はパソコン本体３内に完全に格納された状態でロックされる。トレイユニット５を引き出すときには、フロントカバー６に設けられたイジェクトボタン６ａを押す。イジェクトボタン６ａが押されたとき、光ピックアップ１５（図３参照）が光ディスク４にアクセスしていなければ格納位置（図４参照）でのロックが解除され、トレイユニット５がバネの付勢により所定ストローク（例えば１０ｍｍ程度）突出するから、ユーザはフロントカバー６をつまんで図示の露出位置まで引き出し操作することができる。
【００１７】
図２、図３及び図４に示すように、光ディスク装置２は、金属薄板製の下カバー８及び上カバー９により構成されるケース１０と、下カバー８の左右の側壁に設けられたガイドレールに沿ってスライドする左スライドレール１１及び右スライドレール１２と、各スライドレール１１，１２に対してさらにスライド自在に組み付けられたトレイユニット５と、を備える。下カバー８の側壁の内面には各スライドレール１１，１２のスライドをガイドする樹脂製のガイドレールが固定されている。ケース１０は、パソコン本体３の内部に固定される。
【００１８】
下カバー８は、断面略コ字状に形成され、トレイユニット５の下面を覆うユニット覆い部８ａと、断面略Ｌ字状に形成され、光ディスク４の下面のディスクトレイ１４により覆われていない部分を覆うディスク覆い部８ｂとを備える。光ディスク４の下面は、横方向における左側端からディスク直径の約３／４の範囲は、ディスクトレイ１４により覆われ、残りの約１／４の部分がディスク覆い部８ｂにより覆われる。上カバー９は、光ディスク４の上面及びディスクトレイ１４の上面を覆うものであり、下カバー８の形状に合わせて形成されている。ノート型を含むパソコン内部の光ディスク装置２が組み込まれる部分の形状は、規格化されており、これに応じて、下カバー８及び上カバー９の形状も規格化されている。本実施形態の下カバー８及び上カバー９は、上記した規格に適合する形状で形成されている。すなわち、光ディスク装置２が組み込まれるパソコンの種類が異なる場合でも、本実施形態の下カバー８及び上カバー９からなるケース１０を、組み込むことができる。
【００１９】
下カバー８のユニット覆い部８ａの後端部には、光ディスク装置２の駆動を制御する制御基板１３が取り付けられている。
【００２０】
トレイユニット５は、光ディスク４の外径に対応した窪みが形成された樹脂製のディスクトレイ１４と、光ピックアップ１５を有するピックアップユニット１６とを備える。
【００２１】
ピックアップユニット１６には、光ディスク４を回転させるスピンドルモータ１７が設けられており、スピンドルモータ１７の駆動軸には、チャッキングコア１８が固定されている。ディスクトレイ１４の窪みに合わせて光ディスク４を装填すると、チャッキングコア１８が光ディスク４のチャック孔４ａ（図１参照）に係合して光ディスク４を保持する。なお、チャッキングコア１８は、光ディスク４を保持しているときに、光ディスク４の上面から突出するサイズで形成されている。スピンドルモータ１７の上面には、光ディスク４の滑り止めとしてのリング状の滑り止めシート１９（図５参照）が貼り付けられている。
【００２２】
ディスクトレイ１４には、光ピックアップ１５及びスピンドルモータ１７の駆動を制御する駆動基板（図示せず）が設けられており、この駆動基板は、ＦＰＣ（Ｆｌｅｘｉｂｌｅ  Ｐｒｉｎｔｅｄ  Ｃｉｒｃｕｉｔ）から構成されるフレキシブル基板２０により制御基板１３に接続されている。
【００２３】
ディスクトレイ１４には、光ディスク４が装填されたときに、光ディスク４の中心部よりも前側部分の側面を覆う第１ディスク側面覆い部１４ａと、光ディスク４の中心部よりも後側で且つ左側部分の側面を覆う第２ディスク側面覆い部１４ｂと、光ディスク４の中心部よりも後側で且つ右側部分の側面を覆う第３ディスク側面覆い部１４ｃとが形成されている。ディスクトレイ１４が格納位置に位置するときには、制御基板１３の上面はディスクトレイ１４により覆われる。
【００２４】
制御基板１３には、後述する通信アンテナ３１の挿通片３１ｂと通信制御回路３２とを接続するための２本のリード線２１の一端２１ａが取り付けられている（半田付けされている）。制御基板１３の一端２１ａが半田付けされた部分と通信制御回路３２とは、制御基板１３上に設けられた回路接続パターンにより電気的に接続されている。これにより、リード線２１の他端２１ｂを、挿通片３１ｂに取り付けると、通信アンテナ３１と通信制御回路３２とが電気的に接続される。
【００２５】
２本のリード線２１は、ケース１０の内部を通過させて、挿通片３１ｂに接続する必要（上カバー９の上方に引き出す必要）がある。ディスクトレイ１４が格納位置に位置するときには、ディスクトレイ１４の後面と下カバー８の後壁の内面との隙間は僅かしかないため、この隙間にリード線２１を通すことはできない（図４参照）。このため、第２ディスク側面覆い部１４ｂには、ディスクトレイ１４が格納位置に位置するときにリード線２１に接触しないようにしてリード線２１を挿通させる切欠き１４ｄが形成されている。なお、リード線２１を、ケース１０の内部を通過させずに、ケース１０の後方に挿出して挿通片３１ｂに接続させる（上カバー９の上方に引き出す）ことが考えられるが、パソコン内部の光ディスク装置２が組み込まれる部分の形状は、複数機種のパソコンにおいて共通であり（規格化されている）、リード線２１をケース１０の後方に挿出させた場合には、光ディスク装置２をパソコンに組み込むときに、リード線２１が邪魔をして、組み込むことができないことがある。このため、リード線２１は、ケース１０の内部を通過させる必要がある。
【００２６】
ディスクトレイ１４は、下カバー８に格納可能な形状で形成する必要があるため、第３ディスク側面覆い部１４ｃは、第２ディスク側面覆い部１４ｂに比べて小さい。このため、切欠き１４ｄを第３ディスク側面覆い部１４ｃに形成することができない。すなわち、切欠き１４ｄは、第２ディスク側面覆い部１４ｂにのみ形成可能となる。切欠き１４ｄを第２ディスク側面覆い部１４ｂに形成すると、その位置に応じて、制御基板１３におけるリード線２１の一端２１ａが取り付けられる位置も決定され、これに応じて、上カバー９における挿通孔９ｇ（図２及び図６参照）を形成する位置も決定される。
【００２７】
ユニット覆い部８ａの奥側にはイジェクトバネ２２を含むイジェクト機構２３が設けられ、イジェクトボタン６ａを押して格納位置でのロックが解除されると、トレイユニット５はイジェクトバネ２２の付勢により所定ストロークだけ突出する。フロントカバー６には、光ディスク４にアクセス中であることを外部表示する表示部６ｂ、緊急操作用のイジェクト穴６ｃが設けられている。故障やパソコンの暴走などでイジェクトボタン６ａの操作ではイジェクトできなくなっても、イジェクト穴６ｃに固い細線を差し込むことによって格納位置でのロックを解除してディスクトレイ１４を引き出すことが可能となる。
【００２８】
露出位置（図２参照）からディスクトレイ１４を押し込むと、各スライドレール１１，１２に保持されたディスクトレイ１４が後方に向かってスライドし、各スライドレール１１，１２が下カバー８に固定されたガイドレール上を後方に向かってスライドする。下カバー８に対してディスクトレイ１４が所定の位置まで押し込まれると、イジェクトバネ２２をチャージした状態でディスクトレイ１４にフック（図示せず）が係合し、ディスクトレイ１４は格納位置（図４参照）に機械的にロックされる。
【００２９】
図２に示すように、光ディスク４の上面には、ＩＣタグ２５が組み込まれている。ＩＣタグ２５は、ループ状に形成され、データの送受信を行うＩＣアンテナ２６と、ＩＣアンテナ２６に接続されたＩＣチップ２７とを備える。ＩＣチップ２７には、ＩＣ制御回路２７ａとＩＣメモリ２７ｂとが組み込まれている（図９参照）。ＩＣメモリ２７ｂには、予め、光ディスク４の固有データ、光ディスク４の記録面（下面）に記録された記録データに関するデータ、ＯＳ（Ｏｐｅｒａｔｉｎｇ  Ｓｙｓｔｅｍ）ソフトのデータ等の各種データが記憶されている。
【００３０】
図５及び図６に示すように、上カバー９の下面（内面）のＩＣアンテナ２６に対向する位置には、後述する通信アンテナ３１及び磁性体シート３３を収容するための収容凹部９ａが形成されている。収容凹部９ａは、下面側から見たときに円形状になるように形成されている。上カバー９は、金属により構成されており、収容凹部９ａを形成するときには、絞り上げ加工により形成する。このため、上カバー９の上面には、収容凹部９ａに沿って凸部９ｂが形成されている。本実施形態では、収容凹部９ａの凹量は０．３ｍｍとなるように形成されており、これにより、凸部９ｂの凸量は０．３ｍｍとなる。なお、図５においては、図面の乱雑を避けるため、ディスクトレイ１４の図示を省略している。
【００３１】
上カバー９には、通信アンテナ３１の挿通片３１ｂを挿通させて上カバー９の上面に露出させるアンテナ露出孔９ｃが形成されている。アンテナ露出孔９ｃは、凸部９ｂの凸状に立ち上がる部分に形成されている。
【００３２】
上カバー９の凸部９ｂには、通信アンテナ３１及び磁性体シート３３を貼り付けるときに位置決めするための第１位置決め孔９ｄ及び第２位置決め孔９ｅが形成されている。第１位置決め孔９ｄは長孔状に形成され、第２位置決め孔９ｅは丸孔状に形成されている。凸部９ｂには、光ディスク４の再生時にチャッキングコア１８に接触しないようにするためのコア逃げ孔９ｆが形成されている。
【００３３】
上カバー９には、リード線２１を挿通させるための挿通孔９ｇが２個形成されている。挿通孔９ｇは、制御基板１３に取り付けられた２本のリード線２１の一端２１ａに対応した位置に形成されている。
【００３４】
光ディスク装置２には、ＩＣタグ２５と公知の電磁誘導方式によりデータ通信を行い、ＩＣメモリ２７ｂにデータの読み取り及び書き込みを行うデータリーダ／ライタ（データ通信ユニット）３０（図９参照）が設けられている。データリーダ／ライタ３０は、データの送受信を行う通信アンテナ３１と、通信アンテナ３１が接続される通信制御回路３２（図９参照）とを備える。通信制御回路３２は、制御基板１３に設けられている。
【００３５】
通信アンテナ３１は、収容凹部９ａに収容される円盤状の本体部３１ａと、アンテナ露出孔９ｃに挿通される挿通片３１ｂとからなる。本体部３１ａの上面には、粘着シートが貼り付けられている。本実施形態では、通信アンテナ３１は、０．２５ｍｍの厚みで形成されている。
【００３６】
本体部３１ａには、第１位置決め孔３１ｃ及び第２位置決め孔３１ｄが形成されている。第１位置決め孔３１ｃは第１位置決め孔９ｄと同一の形状で形成され、第２位置決め孔３１ｄは第２位置決め孔９ｅと同一の形状で形成されている。第１，第２位置決め孔３１ｃ，３１ｄは、後述する第１，第２治具３５，３６を用いて通信アンテナ３１を取り付けたときに、挿通片３１ｂが、アンテナ露出孔９ｃに挿通されるように、挿通片３１ｂに対して決められた位置に形成されている。
【００３７】
本体部３１ａには、光ディスク４の再生時にチャッキングコア１８に接触しないようにするためのコア逃げ孔３１ｅが形成されている。
【００３８】
上カバー９は、金属により構成されており、通信アンテナ３１を収容凹部９ａに直接貼り付けると、金属製の上カバー９の影響を受けて、電磁誘導方式によりデータ通信を行う通信アンテナ３１の通信性能が悪化する（電磁妨害）。このため、上カバー９と通信アンテナ３１との間に、円形状で且つ通信アンテナ３１よりも径の大きい磁性体シート３３を配設し、磁性体シート３３により通信アンテナ３１の本体部３１ａの上面を覆う。磁性体シート３３の上面には、粘着シートが貼り付けられている。本実施形態では、磁性体シート３３は、０．３ｍｍの厚みで形成されている。
【００３９】
磁性体シート３３には、第１位置決め孔３３ａ及び第２位置決め孔３３ｂが形成されている。第１位置決め孔３３ａは第１位置決め孔９ｄと同一の形状で形成され、第２位置決め孔３３ｂは第２位置決め孔９ｅと同一の形状で形成されている。磁性体シート３３には、光ディスク４の再生時にチャッキングコア１８に接触しないようにするためのコア逃げ孔３３ｃが形成されている。
【００４０】
通信アンテナ３１の下方には、ディスクトレイ１４が移動するときに光ディスク４及びチャッキングコア１８が通信アンテナ３１に接触しないように通信アンテナ３１を防護する防護シート３４が配されており、防護シート３４は、上カバー９の内面に貼り付けられている。
【００４１】
図６及び図７に示すように、防護シート３４は、光ディスク４や通信アンテナ３１に比べて極薄（例えば、５０μｍ）の透明樹脂（例えば、ＰＥＴ等）により構成され、第１位置決め孔３４ａ及び第２位置決め孔３４ｂが形成されている。第１位置決め孔３４ａは第１位置決め孔９ｄと同一の形状で形成され、第２位置決め孔３４ｂは第２位置決め孔９ｅと同一の形状で形成されている。防護シート３４には、光ディスク４の再生時にチャッキングコア１８に接触しないようにするためのコア逃げ孔３４ｃが形成されている。なお、本実施形態では、簡易的に防護シート３４を厚くした状態で図示している。また、防護シート３４の材質及び厚みは適宜変更可能である。
【００４２】
防護シート３４の上面には、粘着剤が塗り付けられており、粘着剤の上には、取り外し可能な剥離紙が貼り付けられている。剥離紙は、防護シート３４を、図中二点鎖線で区切られた第１エリア３４ｄ、第２エリア３４ｅ、第３エリア（壁面防護部）３４ｆに区分けするように、３枚設けられている。コア逃げ孔３４ｃは、第３エリア３４ｆに貼り付けられた剥離紙の取り外しが容易になるような形状で形成されている。通信アンテナ３１には、コア逃げ孔３１ｅの壁面としてのアンテナ内壁面３１ｆが形成されており、このアンテナ内壁面３１ｆの内壁面前側端部３１ｇは、第３エリア３４ｆにより防護される。
【００４３】
図６及び図８に示すように、通信アンテナ３１、磁性体シート３３及び防護シート３４を取り付ける場合には、第１治具３５及び第２治具３６を用いて行う。第１治具３５は、棒状で、上面側から見たときに第１位置決め孔９ｄと同一の形状になるように形成され、第２治具３６は、棒状で、上面側から見たときに第２位置決め孔９ｅと同一の形状になるように形成されている。第１治具３５及び第２治具３６は、それぞれ下端部がテーパ状に形成されており、これにより、第１治具３５及び第２治具３６を、容易に第１，第２位置決め孔９ｄ，９ｅ、第１，第２位置決め孔３１ｃ，３１ｄ、第１，第２位置決め孔３３ａ，３３ｂ及び第１，第２位置決め孔３４ａ，３４ｂに挿通させることができる。
【００４４】
先ず、第１治具３５を第１位置決め孔９ｄに、第２治具３６を第２位置決め孔９ｅにそれぞれ挿通させる。そして、第１治具３５を第１位置決め孔３３ａに、第２治具３６を第２位置決め孔３３ｂにそれぞれ挿通させ、この状態で、磁性体シート３３を、粘着シートの粘着力により収容凹部９ａの内面に貼り付ける。
【００４５】
次に、第１治具３５を第１位置決め孔３１ｃに、第２治具３６を第２位置決め孔３１ｄにそれぞれ挿通させ、この状態で、通信アンテナ３１を、粘着シートの粘着力により磁性体シート３３の下面に貼り付け、挿通片３１ｂをアンテナ露出孔９ｃに挿通させる。本実施形態では、収容凹部９ａの凹量は０．３ｍｍ、磁性体シート３３の厚みは０．３ｍｍであるため、通信アンテナ３１は、上カバー９の内面よりも下方に位置することとなる。
【００４６】
そして、第１エリア３４ｄに貼り付けられた剥離紙を取り外した状態で、第１治具３５を第１位置決め孔３４ａに、第２治具３６を第２位置決め孔３４ｂにそれぞれ挿通させ、第１エリア３４ｄを上カバー９の内面及び通信アンテナ３１に貼り付ける。次に、第２エリア３４ｅに貼り付けられた剥離紙を取り外して第２エリア３４ｅを、上カバー９の内面及び通信アンテナ３１に貼り付ける。そして、第１，第２治具３５，３６を抜き取る。これにより、通信アンテナ３１、磁性体シート３３及び防護シート３４は、収容凹部９ａに対して位置決めされて貼り付けられる。さらに、挿通片３１ｂが、収容凹部９ａから露出し、上カバー９の上面に載せられた状態となる。なお、挿通片３１ｂの下面に粘着シートを貼り付け、この粘着シートの粘着力により、挿通片３１ｂを上カバー９の上面に貼り付けるようにしてもよい。
【００４７】
第１，第２治具３５，３６を抜き取った後、上カバー９の凸部９ｂに、第１，第２位置決め孔９ｄ，９ｅ及びコア逃げ孔９ｆを遮蔽する遮蔽シート３７を貼り付ける。遮蔽シート３７の下面には粘着剤が塗り付けられており、この粘着剤により遮蔽シート３７は貼り付けられる。これにより、各孔９ｄ，９ｅ，９ｆからケース１０の内部に粉塵が侵入することを防止することができる。
【００４８】
凸部９ｂに遮蔽シート３７を貼り付けた後、第３エリア３４ｆに貼り付けられた剥離紙を取り外して第３エリア３４ｆを、遮蔽シート３７に貼り付ける。これにより、通信アンテナ３１の内壁面前側端部３１ｇは、第３エリア３４ｆにより防護される。なお、図８においては、図面の乱雑を避けるため、ディスクトレイ１４の図示を省略している。
【００４９】
通信アンテナ３１及び磁性体シート３３を貼り付けた状態で、上カバー９をビス（図示せず）により下カバー８に取り付ける。図３及び図５に示すように、制御基板１３には、通信アンテナ３１の挿通片３１ｂと通信制御回路３２とを接続するための２本のリード線２１の一端２１ａが取り付けられている。上カバー９を下カバー８に取り付けるときには、２本のリード線２１の他端２１ｂを、それぞれ挿通孔９ｇ（図６参照）に挿通させた後に行う。
【００５０】
上カバー９を下カバー８に取り付けた後には、図２及び図５に示すように、２本のリード線２１の他端２１ｂを、挿通片３１ｂの端部に取り付ける（半田付けする）。これにより、通信アンテナ３１と通信制御回路３２とが接続される。２本のリード線２１は、粘着テープ３８により上カバー９の上面に貼り付けられる（固定される）。リード線２１は、他端２１ｂを挿通片３１ｂに半田付けしたときに、若干の弛みがでる長さにされており、粘着テープ３８によりリード線２１を固定するときには、リード線２１を、弛みがないようにピンと張った状態で固定する。
【００５１】
図９を用いて、ＩＣタグ２５とデータリーダ／ライタ（データ通信ユニット）３０とのデータ通信についての説明を行う。なお、ＩＣタグ２５とデータリーダ／ライタ３０とのデータ通信は、公知の電磁誘導方式により行うため、簡略化して説明する。
【００５２】
通信制御回路３２が、通信アンテナ３１から情報を磁界に乗せて送信させるように制御すると、ＩＣタグ２５のＩＣアンテナ２６は、通信アンテナ３１から送信された磁界を受信する。ＩＣアンテナ２６で磁界を受信すると、共振により、ＩＣアンテナ２６に電力が発生する。この発生した電力により、ＩＣチップ２７のＩＣ制御回路２７ａ及びＩＣメモリ２７ｂが動作可能となる。例えば、通信アンテナ３１から、ＩＣメモリ２７ｂに記憶されたデータを読み取る情報が磁界に乗せられて送信された場合には、ＩＣ制御回路２７ａは、ＩＣメモリ２７ｂに記憶されたデータを読み取り、ＩＣアンテナ２６は、読み取ったデータを磁界に乗せて送信する。通信アンテナ３１は、ＩＣアンテナ２６からの磁界を受信し、通信制御回路３２は受信した磁界からデータを取り出す。同様にして、通信アンテナ３１から、ＩＣメモリ２７ｂにデータを書き込む情報が磁界に乗せて送信された場合には、ＩＣ制御回路２７ａは、ＩＣアンテナ２６で受信した磁界に乗せられた情報に基づいて、ＩＣメモリ２７ｂにデータを書き込む。なお、通信アンテナ３１は防護シート３４により覆われているが、防護シート３４は、樹脂（ＰＥＴ）により構成されており、上記した磁界は防護シート３４を通過する。
【００５３】
次に、上記のように構成された光ディスク装置２の作用について説明する。図１０に示すように、ディスクトレイ１４に、面振れや反りが大きい光ディスク４を載置した場合には、ディスクトレイ１４が露出位置から格納位置に向けて図中Ａ方向に移動するときに、光ディスク４の側面が防護シート３４の第２エリア３４ｅに接触するが、光ディスク４及びチャッキングコア１８が通信アンテナ３１に接触することがない。なお、図１０においては、図面の乱雑を避けるため、ディスクトレイ１４の図示を省略している。
【００５４】
ディスクトレイ１４が露出位置から格納位置に向けて移動するときに、光ディスク４が防護シート３４の前側面に引っ掛かることがあるが、防護シート３４の厚みは５０μｍと極薄であるため、光ディスク４は容易にその段差（防護シート３４）を乗り越える。また、長期間、光ディスク装置２を使用すると、防護シート３４の前側端部がめくれ上がってくることがあるため、防護シート３４の第２エリア３４ｅを、上カバー９の前側端まで貼り付けられるような長さで形成するようにしてもよい。これにより、光ディスク４が防護シート３４の端部に引っ掛かることを防止できる。
【００５５】
また、図１１に示すように、上カバー９が外圧により下方に押されて変形した場合等には、ディスクトレイ１４が格納位置から露出位置に向けて図中Ｂ方向に移動するときに、チャッキングコア１８が防護シート３４の第３エリア３４ｆに接触するが、チャッキングコア１８が通信アンテナ３１の内壁面前側端部３１ｇに接触することがない。なお、図１１においては、図面の乱雑を避けるため、ディスクトレイ１４の図示を省略している。
【００５６】
このように、防護シート３４により、通信アンテナ３１を防護するから、ディスクトレイ１４が移動するときに、光ディスク４及びチャッキングコア１８が通信アンテナ３１に接触することがない。これにより、光ディスク４及びチャッキングコア１８が通信アンテナ３１に接触することによる通信アンテナ３１の破損を防止することができ、通信アンテナ３１の破損に起因する光ディスク４へのデータの読み取り不良及び書き込み不良を防ぐことができる。
【００５７】
また、通信アンテナ３１が、上カバー９の内面よりも下方に位置する場合にも、防護シート３４により通信アンテナ３１を防護し、ディスクトレイ１４が移動するときに、光ディスク４及びチャッキングコア１８が通信アンテナ３１に接触することがないから、通信アンテナ３１が上カバー９の内面よりも上方に位置するように収容凹部９ａ及び凸部９ｂを形成するものに比べて、収容凹部９ａの凹量、すなわち凸部９ｂの凸量を小さくすることができる。これにより、光ディスク装置２の厚みを抑制することができる。
【００５８】
なお、上記実施形態では、通信アンテナ３１にコア逃げ孔３１ｅを形成したが、収容凹部９ａの凹量、すなわち凸部９ｂの凸量を比較的大きく設定できる（例えば、０．６ｍｍ以上）場合には、コア逃げ孔３１ｅを形成しなくてもよく、この場合には、防護シート３４にコア逃げ孔３４ｃを形成しない。
【００５９】
また、上記実施形態では、上カバー９の収容凹部９ａの凹量及び凸部９ｂの凸量を０．３ｍｍ、通信アンテナ３１の厚みを０．２５ｍｍ、磁性体シート３３の厚みを０．３ｍｍとしたが、これらの量及び厚みは適宜変更可能である。
【００６０】
さらに、上記実施形態では、収容凹部９ａを絞り上げ加工により形成したが、これに限定されることなく、上カバー９の下面に切削加工等により収容凹部９ａを形成するようにしてもよい。この場合には、上カバー９の上面には凸部９ｂが形成されない。
【００６１】
また、上カバー９に、収容凹部９ａと同サイズの開口を形成し、この開口を遮蔽する遮蔽板を上カバー９とは別個に設け、この遮蔽板を上カバー９の上面に取り付けるようにしてもよく、遮蔽板の下面に通信アンテナ３１及び磁性体シート３３を貼り付けることにより、上記開口に通信アンテナ３１及び磁性体シート３３が収容される。すなわち、上記開口が収容凹部９ａと同等の役割を果たすこととなる。なお、この場合には、アンテナ露出孔９ｃを上記遮蔽板に形成する。
【００６２】
さらに、上記実施形態では、上カバー９を金属により構成し、通信アンテナ３１の本体部３１ａの上面を、磁性体シート３３により覆うようにしたが、上カバー９を樹脂により構成した場合には、磁性体シート３３を配設する必要がなくなる。
【００６３】
また、上記実施形態では、ＩＣタグ２５とデータ通信を行うデータ通信ユニットとして、ＩＣメモリ２７ｂにデータの読み取り及び書き込みを行うデータリーダ／ライタ３０を設けたが、データ通信ユニットは、少なくともＩＣメモリ２７ｂのデータを読み取ることができればよく、データリーダ／ライタ３０に代えてデータリーダを設けるようにしてもよく、データリーダの場合にも本発明は適用可能である。
【００６４】
さらに、上記実施形態では、ディスクトレイ１４に、スピンドルモータ１７及びチャッキングコア１８を有するピックアップユニット１６を設けた光ディスク装置２に本発明を実施したが、本発明は、ピックアップユニット１６が、光ディスク４を再生する再生位置とこの再生位置から退避した退避位置との間で変位自在にケース１０の内部に設けられた光ディスク装置にも実施可能である。
【００６５】
図１２〜図１４に他の実施形態を示す。上記実施形態のものと同様の構成部材には同一の符号を付し、その詳細な説明を簡略化する。この実施形態では、光ディスク装置４２は、パソコンに外付けされて使用されるものであり、ケース１０が収容ボックス４３に収容されて構成されている。また、ディスクトレイ１４には、切欠き１４ｄが形成されておらず（図１３参照）、上カバー９には挿通孔９ｇが形成されていない（図１２参照）。
【００６６】
収容ボックス４３は、板状のベース板４４と箱状の上ケース４５とを備え、ベース板４４に、上ケース４５がビス（図示せず）により取り付けられる。ベース板４４及び上ケース４５は金属により構成されている。ベース板４４には、ケース１０の後面を覆う側板部４４ａが曲げ加工により形成されている。側板部４４ａには、パソコンに接続するための接続開口が形成されている。上ケース４５の左右の側面には、ケース１０の左右の側面を覆う側板部４５ａが曲げ加工により形成されている。
【００６７】
通信アンテナ３１の第１，第２位置決め孔３１ｃ，３１ｄは、第１，第２治具３５，３６を用いて通信アンテナ３１を取り付けたときに、挿通片３１ｂが、アンテナ露出孔９ｃに挿通されるように、挿通片３１ｂに対して決められた位置に形成されている。
【００６８】
ベース板４４のケース１０よりも後方には、光ディスク装置４２の駆動を制御する駆動制御基板４６が取り付けられている。駆動制御基板４６には、ケース１０の内部に設けられた制御基板１３が、接続コネクタ（図示せず）により接続されている。駆動制御基板４６には、通信制御回路３２、パソコンに接続するための接続コネクタ（図示せず）が設けられている。
【００６９】
駆動制御基板４６の右側端部には、通信アンテナ３１の挿通片３１ｂと通信制御回路３２とを接続するための２本のリード線４７の一端４７ａが取り付けられている（半田付けされている）。駆動制御基板４６のリード線４７の一端４７ａが半田付けされた部分と通信制御回路３２とは、駆動制御基板４６上に設けられた回路接続パターンにより電気的に接続されている。これにより、リード線４７の他端４７ｂを、挿通片３１ｂに半田付けすると、通信アンテナ３１と通信制御回路３２とが電気的に接続される。
【００７０】
このように、パソコンに外付けされて使用される光ディスク装置４２では、リード線４７により通信アンテナ３１と駆動制御基板４６とを接続するときに、リード線４７を、ケース１０の内部を通さずに接続することができる。これにより、作業性を向上することができる。また、ディスクトレイ１４に切欠き１４ｄを形成せずに、通信アンテナ３１と通信制御回路３２とを接続することができる。
【００７１】
なお、上記実施形態では、リード線４７の一端４７ａを、駆動制御基板４６の右側端部に取り付けたが、リード線４７の一端４７ａを取り付ける駆動制御基板４６の位置は、右側端部に限定されることなく、適宜変更可能である。リード線４７の一端４７ａを取り付ける位置に応じて、アンテナ露出孔９ｃを形成する位置も変更されるものである。
【図面の簡単な説明】
【００７２】
【図１】本発明の光ディスク装置を備えたノート型パソコンの外観図である。
【図２】トレイユニットが露出位置に位置するときの光ディスク装置を示す斜視図である。
【図３】上カバーを取り外した状態でトレイユニットが露出位置に位置するときの光ディスク装置を示す斜視図である。
【図４】上カバーを取り外した状態でトレイユニットが格納位置に位置するときの光ディスク装置を示す斜視図である。
【図５】ケースの内部を示す下側面断面図である。
【図６】上カバーと通信アンテナと磁性体シートと防護シートと第１，第２治具とを示す斜視図である。
【図７】上カバーと通信アンテナと防護シートとを示す下側から見た平面図である。
【図８】ケースの内部を示す左側面断面図である。
【図９】光ディスクとデータリーダ／ライタとの概略的な電気的構成を示す説明図である。
【図１０】面振れの大きい光ディスクが装填されたディスクトレイが露出位置から格納位置に向けて移動するときのケース内部を示す左側面断面図である。
【図１１】上カバーが下方に変形されているときにディスクトレイが格納位置から露出位置に向けて移動するときのケース内部を示す左側面断面図である。
【図１２】外付けドライブタイプの光ディスク装置を示す斜視図である。
【図１３】図１２に示す実施形態のトレイユニットが露出位置に位置するときの光ディスク装置を示す斜視図である。
【図１４】図１２に示す実施形態の上カバーを取り外した状態の光ディスク装置を示す上面図である。
【符号の説明】
【００７３】
２，４２  光ディスク装置
４  光ディスク
５  トレイユニット
８  下カバー
９  上カバー
９ａ  収容凹部
９ｂ  凸部
１０  ケース
１４  ディスクトレイ
２５  ＩＣタグ
２６  ＩＣアンテナ
２７  ＩＣチップ
２７ａ  ＩＣ制御回路
２７ｂ  ＩＣメモリ
３０  データリーダ／ライタ（データ通信ユニット）
３１  通信アンテナ
３１ｅ  コア逃げ孔
３１ｆ  アンテナ内壁面
３１ｇ  内壁面前側端部
３２  通信制御回路
３３  磁性体シート
３４  防護シート
３４ｆ  第３エリア（壁面防護部）
【図１】
2008269715.tif 000003
【図２】
2008269715.tif 000004
【図３】
2008269715.tif 000005
【図４】
2008269715.tif 000006
【図５】
2008269715.tif 000007
【図６】
2008269715.tif 000008
【図７】
2008269715.tif 000009
【図８】
2008269715.tif 000010
【図９】
2008269715.tif 000011
【図１０】
2008269715.tif 000012
【図１１】
2008269715.tif 000013
【図１２】
2008269715.tif 000014
【図１３】
2008269715.tif 000015
【図１４】
2008269715.tif 000016